(57)【要約】【課題】  本発明は、複数コンテンツの中から所望のコンテンツを格段的に選択させ易くする。【解決手段】  本発明は、コンテンツを表す複数の静止画像アイコン６２と共にコンテンツカーソル６４が配置されたコンテンツ提示選択画面６０を表示した状態で、移動命令の入力の有無に応じて各静止画像アイコン６２に対しコンテンツカーソル６４を相対的に移動させ又は停止させながら、コンテンツカーソル６４の指示枠６４Ａ内に少なくとも一部が入っている複数の第１の大きさの枠内静止画像アイコン６２を第２の大きさに拡大することにより、各枠内静止画像アイコン６２により複数のコンテンツの内容をその場で比較させて的確に確認させ、複数コンテンツの中から所望のコンテンツを格段的に選択させ易くできる。【選択図】        図６
2005301703.tif 000002
【特許請求の範囲】
【請求項１】
選択対象を表す所定の第１の大きさの画像でなる複数の画像表示子を所定パターンで配置し、かつ各上記画像表示子上に少なくとも１個の当該画像表示子及び他の１個の上記画像表示子の一部を囲んで見せることのできる大きさの指示枠を有する指示子を配置して生成された画面を表示する表示手段と、
上記表示手段に表示された上記画面内で、各上記画像表示子のうち上記指示子の上記指示枠内に少なくとも一部が入っている複数の上記画像表示子を枠内画像表示子として検出する検出手段と、
上記表示手段に表示された上記画面内で各上記画像表示子に対して上記指示子を相対的に移動させる移動命令を入力させるための入力手段と、
上記表示手段に表示された上記画面内で、上記入力手段を介して入力された上記移動命令に応じて各上記画像表示子に対し上記指示子を相対的に移動させ、当該入力手段を介した上記移動命令の入力の停止に応じて各上記画像表示子に対する上記指示子の相対的な移動を停止させながら、上記検出手段による上記検出結果に応じて各上記枠内画像表示子を上記第１の大きさよりも大きい第２の大きさに拡大する表示制御手段と
を具えることを特徴とする表示装置。
【請求項２】
上記検出手段は、
上記表示手段に表示された上記画面内で、上記指示子の上記指示枠内に少なくとも一部が入っている上記画像表示子を全て上記枠内画像表示子として検出し、当該検出した各上記枠内画像表示子の表示子中心点と上記指示枠の指示枠中心点との間の中心点間距離を算出し、当該算出した上記中心点間距離の短い上位所定個の上記枠内画像表示子を拡大対象として判別し、
上記表示制御手段は、
上記検出手段により上記拡大対象として判別された上記所定個の上記枠内画像表示子を上記第１の大きさよりも大きい上記第２の大きさに拡大する
ことを特徴とする請求項１に記載の表示装置。
【請求項３】
上記検出手段は、
上記表示手段に表示された上記画面内で、上記指示子の上記指示枠内に少なくとも一部が入っている上記画像表示子を全て上記枠内画像表示子として検出し、当該検出した各上記枠内画像表示子に対して上記指示子の上記指示枠内に入っている部分の枠内部分面積を算出し、当該算出した上記枠内部分面積の大きい上位所定個の上記枠内画像表示子を拡大対象として判別し、
上記表示制御手段は、
上記検出手段により上記拡大対象として判別された上記所定個の上記枠内画像表示子を上記第１の大きさよりも大きい上記第２の大きさに拡大する
ことを特徴とする請求項１に記載の表示装置。
【請求項４】
上記表示制御手段は、
上記入力手段を介した上記移動命令の入力が停止したとき、上記検出手段による上記検出結果に応じて、上記画面内で各上記枠内画像表示子の表示子中心点のうち、上記指示枠の指示枠中心点に最も近い上記表示子中心点と当該指示枠中心点とを対向させて、各上記画像表示子に対する上記指示子の相対的な移動を停止させる
ことを特徴とする請求項１に記載の表示装置。
【請求項５】
上記表示制御手段は、
上記画面内で各上記画像表示子に対する上記指示子の相対的な移動を停止させたとき、上記指示枠中心点に上記表示子中心点が対向する上記枠内画像表示子を上記第２の大きさよりもさらに大きい第３の大きさに拡大する
ことを特徴とする請求項４に記載の表示装置。
【請求項６】
上記表示制御手段は、
上記画面内で各上記画像表示子に対する上記指示子の相対的な移動を停止させたとき、上記指示子の上記指示枠中心点に上記表示子中心点が対向する上記枠内画像表示子の示している上記選択対象の属性情報を上記画面内に追加表示させる
ことを特徴とする請求項４に記載の表示装置。
【請求項７】
上記表示手段に上記画面が表示された際に上記検出手段による上記検出結果に応じて、各上記枠内画像表示子の表示子中心点のうち、上記指示枠の指示枠中心点に最も近い上記表示子中心点の上記枠内画像表示子の示している上記選択対象を表す音声を出力する音声出力手段
を具えることを特徴とする請求項１に記載の表示装置。
【請求項８】
上記表示手段は、
各上記画像表示子上に少なくとも２個以上の当該画像表示子を囲んで見せることのできる大きさの上記指示枠を有する上記指示子を配置して生成された上記画面を表示する
ことを特徴する請求項１に記載の表示装置。
【請求項９】
上記表示手段は、
上記選択対象を表す上記第１の大きさの静止画像でなる複数の静止画像表示子が上記第１の大きさの上記画像でなる複数の上記画像表示子として上記所定パターンで配置された上記画面を表示する
ことを特徴とする請求項１に記載の表示装置。
【請求項１０】
選択対象を表す所定の第１の大きさの画像でなる複数の画像表示子を所定パターンで配置し、かつ各上記画像表示子上に少なくとも１個の当該画像表示子及び他の１個の上記画像表示子の一部を囲んで見せることのできる大きさの指示枠を有する指示子を配置して生成された画面を表示する表示ステップと、
上記表示された上記画面内で、外部から入力される移動命令に応じて各上記画像表示子に対して上記指示子を相対的に移動させ、当該外部からの上記移動命令の入力の停止に応じて各上記画像表示子に対する上記指示子の相対的な移動を停止させながら、上記指示子の上記指示枠内に少なくとも一部が入っている複数の上記画像表示子を枠内画像表示子として検出し、当該検出結果に応じて各上記枠内画像表示子を上記第１の大きさよりも大きい第２の大きさに拡大する表示制御ステップと
を具えることを特徴とする表示方法。
【請求項１１】
上記表示制御ステップは、
上記表示された上記画面内で、上記指示子の上記指示枠内に少なくとも一部が入っている上記画像表示子を全て上記枠内画像表示子として検出し、当該検出した各上記枠内画像表示子の表示子中心点と上記指示枠の指示枠中心点との間の中心点間距離を算出し、当該算出した上記中心点間距離の短い上位所定個の上記枠内画像表示子を拡大対象として判別し、当該判別した上記所定個の上記枠内画像表示子を上記第１の大きさよりも大きい上記第２の大きさに拡大する
ことを特徴とする請求項１０に記載の表示方法。
【請求項１２】
上記表示制御ステップは、
上記表示された上記画面内で、上記指示子の上記指示枠内に少なくとも一部が入っている上記画像表示子を全て上記枠内画像表示子として検出し、当該検出した各上記枠内画像表示子に対して上記指示子の上記指示枠内に入っている部分の枠内部分面積を算出し、当該算出した上記枠内部分面積の大きい上位所定個の上記枠内画像表示子を拡大対象として判別し、当該判別した上記所定個の上記枠内画像表示子を上記第１の大きさよりも大きい上記第２の大きさに拡大する
ことを特徴とする請求項１０に記載の表示方法。
【請求項１３】
上記表示制御ステップは、
上記外部からの上記移動命令の入力が停止したとき、上記検出結果に応じて上記画面内で各上記枠内画像表示子の表示子中心点のうち、上記指示枠の指示枠中心点に最も近い上記表示子中心点と当該指示枠中心点とを対向させて、各上記画像表示子に対する上記指示子の相対的な移動を停止させる
ことを特徴とする請求項１０に記載の表示方法。
【請求項１４】
上記表示制御ステップは、
上記画面内で各上記画像表示子に対する上記指示子の相対的な移動を停止させたとき、上記指示枠中心点に上記表示子中心点が対向する上記枠内画像表示子を上記第２の大きさよりもさらに大きい第３の大きさに拡大する
ことを特徴とする請求項１３に記載の表示方法。
【請求項１５】
上記表示制御ステップは、
上記画面内で各上記画像表示子に対する上記指示子の相対的な移動を停止させたとき、上記指示子の上記指示枠中心点に上記表示子中心点が対向する上記枠内画像表示子の示している上記選択対象の属性情報を上記画面内に追加表示させる
ことを特徴とする請求項１３に記載の表示方法。
【請求項１６】
上記表示制御ステップは、
上記検出結果に応じて、各上記枠内画像表示子の表示子中心点のうち上記指示枠の指示枠中心点に最も近い上記表示子中心点の上記枠内画像表示子の示している上記選択対象を表す音声を出力する
ことを特徴とする請求項１０に記載の表示方法。
【請求項１７】
上記表示ステップは、
各上記画像表示子上に少なくとも２個以上の当該画像表示子を囲んで見せることのできる大きさの上記指示枠を有する上記指示子を配置して生成された上記画面を表示する
ことを特徴する請求項１０に記載の表示方法。
【請求項１８】
上記表示ステップは、
上記選択対象を表す上記第１の大きさの静止画像でなる複数の静止画像表示子が上記第１の大きさの上記画像でなる複数の上記画像表示子として上記所定パターンで配置された上記画面を表示する
ことを特徴とする請求項１０に記載の表示方法。
【発明の詳細な説明】
【技術分野】
【０００１】
本発明は表示装置に関し、例えばネットワーク上のコンテンツ提供サーバから選択対象であるコンテンツデータを取得するパーソナルコンピュータに適用して好適なものである。
【背景技術】
【０００２】
従来の携帯電話機では、選択項目に対するアイコンが複数配列されたメインメニュー画面を表示した場合、これら各アイコンの大きさが比較的小さいために、枠状のカーソルで１個のアイコンを囲んで指定すると、他のアイコンをそのまま移動又は縮小して移動させることにより当該カーソルで囲んだアイコンの表示領域を拡大してそのカーソルで囲んだアイコンを拡大している。
【０００３】
これによりかかる携帯電話機では、メインメニュー画面内で、指定されたアイコンを拡大して内容（選択事項）を確認し易くすると共に、他のアイコンについても移動させることで、指定されたアイコンによって隠されないようにして全て表示可能としていた（例えば、特許文献１参照）。
【特許文献１】特開２００２−２６１９１８公報（第８頁、図６）
【発明の開示】
【発明が解決しようとする課題】
【０００４】
ところがかかる構成の携帯電話機では、メインメニュー画面内でカーソルにより個々のアイコンをそれぞれ個別に指定させて拡大するため、複数のアイコンの内容を容易には確認させ難く、その結果、各アイコンの示している複数の選択項目の中から所望の選択項目を容易には選択させ難いという問題があった。
【０００５】
本発明は以上の点を考慮してなされたもので、複数の選択対象の中から所望の選択対象を格段的に選択させ易くし得る表示装置を提案しようとするものである。
【課題を解決するための手段】
【０００６】
かかる課題を解決するため本発明においては、表示装置において、選択対象を表す所定の第１の大きさの画像でなる複数の画像表示子を所定パターンで配置し、かつ各画像表示子上に少なくとも１個の当該画像表示子及び他の１個の画像表示子の一部を囲んで見せることのできる大きさの指示枠を有する指示子を配置して生成された画面を表示し、当該表示した画面内で、外部から入力される指示子に対する移動命令に応じて各画像表示子に対して指示子を相対的に移動させ、当該外部からの移動命令の入力の停止に応じて各画像表示子に対する指示子の相対的な移動を停止させながら、指示子の指示枠内に少なくとも一部が入っている複数の画像表示子を枠内画像表示子として検出し、当該検出結果に応じて各枠内画像表示子を第１の大きさよりも大きい第２の大きさに拡大するようにした。
【０００７】
従って表示装置では、画面内での指示子の移動の有無にかかわらずに、当該指示子の指示枠内に、複数の枠内画像表示子を拡大して一括表示することで、これら拡大して視認性を向上させた複数の枠内画像表示子により複数の選択対象の内容をその場で比較させながら容易にかつ的確に確認させることができる。
【発明の効果】
【０００８】
本発明によれば、表示装置において、表示装置において、選択対象を表す所定の第１の大きさの画像でなる複数の画像表示子を所定パターンで配置し、かつ各画像表示子上に少なくとも１個の当該画像表示子及び他の１個の画像表示子の一部を囲んで見せることのできる大きさの指示枠を有する指示子を配置して生成された画面を表示した状態で、外部から入力される指示子に対する移動命令に応じて各画像表示子に対して指示子を相対的に移動させ、当該外部からの移動命令の入力の停止に応じて各画像表示子に対する指示子の相対的な移動を停止させながら、指示子の指示枠内に少なくとも一部が入っている複数の画像表示子を枠内画像表示子として検出し、当該検出結果に応じて各枠内画像表示子を第１の大きさよりも大きい第２の大きさに拡大するようにしたことにより、画面内での指示子の移動の有無にかかわらずに、当該指示子の指示枠内に、複数の枠内画像表示子を拡大して一括表示することで、これら拡大して視認性を向上させた複数の枠内画像表示子により複数の選択対象の内容をその場で比較させながら容易にかつ的確に確認させることができ、かくして複数の選択対象の中から所望の選択対象を格段的に選択させ易くすることができる。
【発明を実施するための最良の形態】
【０００９】
以下図面について、本発明の一実施の形態を詳述する。
【００１０】
（１）コンテンツ取得システム
（１−１）コンテンツ取得システムの全体構成
図１において、１は全体としてコンテンツ取得システムを示し、パーソナルコンピュータ２により、インターネット等のネットワーク３を介してコンテンツ配信サーバ４から映画やドラマ、音楽等の各種コンテンツをコンテンツデータとして取得し得るようになされている。
【００１１】
（１−２）パーソナルコンピュータ２の構成
図２に示すように、パーソナルコンピュータ２は、内部の中央処理ユニット（CPU:Central Processing Unit ）１０が、ハードディスクドライブ１１のハードディスクに予め記憶しているＯＳ（Operating System）等の基本プログラムや、コンテンツ提示プログラム等の各種アプリケーションプログラムを、ＰＣＩ（Peripheral Component Interconnect ）バス等の外部バス１２、ブリッジ１３、ＣＰＵバスやメモリバス等のホストバス１４を順次介してＲＡＭ（Random Access Memory）１５に転送し、ＲＯＭ（Read Only Memory）１６に予め記憶している演算用等の各種パラメータを適宜用いながらＲＡＭ１５でその基本プログラム及び各種アプリケーションプログラムを展開することにより、当該展開した基本プログラム及び各種アプリケーションプログラムに従い全体を統括的に制御して各種処理を実行する。
【００１２】
これにより中央処理ユニット１０は、パーソナルコンピュータ２に対してＣＤ（Compact Disc）やＤＶＤ（Digital Versatile Disc）、メモリスティック（登録商標）等の記録媒体（図示せず）が装填された状態で、キーボードやマウス等の操作入力部２０に対する操作に応じて入力処理部２１を介して記録媒体再生命令が入力されると、メディアドライブ２２により記録媒体から記録データを読み出す。
【００１３】
そして中央処理ユニット１０は、記録媒体から読み出した記録データに基づいて得られる動画像や静止画像等の画像データを表示処理部２３を介してディスプレイ２４に送出すると共に、その記録データに基づいて得られる音声データを音声処理部２５を介してスピーカ２６に送出することにより、ディスプレイ２４に画像データに基づく映画等の動画像や写真等の静止画像を表示すると共に、スピーカ２６から音楽や、映画等の動画像に付随する音声を出力し、かくして記録媒体に記録されている画像や音声をユーザに視聴させ得るようになされている。
【００１４】
また中央処理ユニット１０は、操作入力部２０に対する操作に応じて入力処理部２１を介してコンテンツ取得命令が入力されると、通信処理部２７及びネットワークインターフェース部２８を順次介してネットワーク３上のコンテンツ配信サーバ４と通信し、その結果、コンテンツ配信サーバ４から送信された所望のコンテンツデータをそのネットワークインターフェース部２８で受信して通信処理部２７を介して取り込む。
【００１５】
そして中央処理ユニット１０は、コンテンツ配信サーバ４から配信されたコンテンツデータに基づいて得られる画像データを表示処理部２３を介してディスプレイ２４に送出すると共に、当該コンテンツデータに基づいて得られる音声データを音声処理部２５を介してスピーカ２６に送出することにより、これらディスプレイ２４及びスピーカ２６を介して所望の映画や写真画像、音楽等を視聴させることができる。
【００１６】
さらに中央処理ユニット１０は、コンテンツ配信サーバ４から配信されたコンテンツデータをハードディスクドライブ１１に送出してハードディスクに記録保持することもできる。
【００１７】
そして中央処理ユニット１０は、パーソナルコンピュータ２に対し外部機器インターフェース部２９を介して携帯型記録再生端末が接続された状態で、操作入力部２０に対する操作に応じて入力処理部２１を介してコンテンツ転送命令が入力されると、ハードディスクドライブ１１によりハードディスクからコンテンツデータを再生しこれを外部機器インターフェース部２９から携帯型記録再生端末に送信してＭＤ（Mini Disc 登録商標）等の光磁気ディスクや半導体メモリのような記録媒体に記録させることにより、ユーザにその携帯型記録再生端末を使用させて外出先等でも映画や写真画像、音楽等を視聴させることができる。
【００１８】
さらにまた中央処理ユニット１０は、パーソナルコンピュータ２に対しメモリスティックが装填された状態で、操作入力部２０に対する操作に応じて入力処理部２１を介してコンテンツ転送命令が入力されると、ハードディスクドライブ１１によりハードディスクからコンテンツデータを再生しこれをメディアドライブ２２によりメモリスティックに記録することにより、外部の携帯型再生端末にそのメモリスティックを装填させることで、ユーザに対し外出先等でかかる携帯型再生端末を用いても映画や写真画像、音楽等を視聴させることができる。
【００１９】
（１−３）コンテンツ配信サーバ４の構成
図３に示すように、コンテンツ配信サーバ４は、内部のサーバ制御部３０がハードディスクドライブ３１のハードディスクやＲＯＭ３２に予め記憶している基本プログラム及び各種アプリケーションプログラムをバス３３を介してＲＡＭ３４に転送して展開することにより、その展開した基本プログラム及び各種アプリケーションプログラムに従って全体を統括的に制御して各種処理を実行し得るようになされている。
【００２０】
これによりサーバ制御部３０は、ハードディスクドライブ３１のハードディスクにユーザ登録データベースを構築し、当該ユーザ登録データベースに対して、コンテンツ配信サーバ４の利用が許可されたユーザのユーザ識別情報やコンテンツ配信サーバ４へのアクセスに用いられるパスワード等のユーザ情報を登録している。
【００２１】
またサーバ制御部３０は、ハードディスクドライブ３１のハードディスクに対し、映像や写真、音楽等のカテゴリ毎の多数のコンテンツをコンテンツデータとしてそれぞれコンテンツデータ固有のコンテンツ識別情報と対応付けて記憶している。
【００２２】
さらにサーバ制御部３０は、ハードディスクドライブ３１のハードディスクにコンテンツ提示データベースを構築し、当該コンテンツ提示データベースに対して、ハードディスクに記憶しているカテゴリ毎の個々のコンテンツに対応するコンテンツ識別情報や、そのコンテンツを表す静止画像（以下、これをコンテンツ静止画像と呼ぶ）及び動画像（以下、これをコンテンツ動画像と呼ぶ）並びに音声（以下、これをコンテンツ音声と呼ぶ）、当該コンテンツの属性情報（以下、これをコンテンツ属性情報と呼ぶ）等を互いに対応付けてコンテンツ提示用データとして登録している。
【００２３】
因みにサーバ制御部３０は、カテゴリ毎のコンテンツが予め複数の種類（例えば、コンテンツのカテゴリが映像であれば、アクションや、サスペンス・ミステリ、ホラー、サイエンスフィクション（ＳＦ）等のジャンルでなる複数の種類）に分類されていることにより、ハードディスク内のコンテンツ提示データベースに登録したコンテンツ提示用データを当該コンテンツのカテゴリ及び種類毎に判別し得るようにしていると共に、その種類毎のコンテンツ提示用データのうち、宣伝対象として選定されたコンテンツに対応するコンテンツ提示用データを特にコンテンツ宣伝用データとして特定し得るようにもしている。
【００２４】
これに加えてサーバ制御部３０は、ハードディスク内のコンテンツ提示データベースに対し、カテゴリ毎のコンテンツに対する複数の種類をそれぞれ提示するための種類提示画像等も種類提示用データとして登録している。
【００２５】
そしてサーバ制御部３０は、パーソナルコンピュータ２からユーザにより配信対象のコンテンツの提示が要求されたときに、ユーザ識別情報及びパスワードを格納したログイン要求信号がネットワーク３を介して送信されると、そのログイン要求信号をネットワークインターフェース部３５で受信して通信処理部３６を介して取り込み、これに格納されているユーザ識別情報及びパスワードに基づいて、ハードディスク内のユーザ登録データベースに登録しているユーザ情報を検索するようにして、配信対象のコンテンツの提示を要求したユーザに対する認証処理を実行する。
【００２６】
その結果、サーバ制御部３０は、配信対象のコンテンツの提示を要求したユーザをすでにユーザ登録している正規ユーザ（すなわち、コンテンツ配信サーバ４の利用を許可してユーザ情報を登録しているユーザ）であると認証すると、ハードディスクドライブ３１によりハードディスク内のコンテンツ提示データベースに登録している種類提示用データを読み出すと共に、当該読み出した種類提示用データを通信処理部３６を介してネットワークインターフェース部３５からネットワーク３経由でパーソナルコンピュータ２に送信する。
【００２７】
これによりサーバ制御部３０は、種類提示用データを受信したパーソナルコンピュータ２からコンテンツの種類とそのコンテンツの提示を要求する提示要求信号がネットワーク３経由で送信されると、これをネットワークインターフェース部３５で受信して通信処理部３６を介して取り込み、その提示要求信号に基づいて、ハードディスクドライブ３１によりハードディスク内のコンテンツ提示データベースから、選択された種類に対応するコンテンツ提示用データ（コンテンツ宣伝用データを含む）を読み出しこれを通信処理部３６を介してネットワークインターフェース部３５からネットワーク３経由でパーソナルコンピュータ２に送信する。
【００２８】
このようにしてサーバ制御部３０は、パーソナルコンピュータ２によりコンテンツ提示用データを用いてユーザに対し、選択された種類のコンテンツを提示させ得ると共に、そのパーソナルコンピュータ２からコンテンツの異なる種類を示す提示要求信号が送信される毎に、上述と同様にその種類に対応するコンテンツ提示用データを返送することで、複数の種類のコンテンツを順次提示させ得るようになされている。
【００２９】
そしてサーバ制御部３０は、ユーザに対しコンテンツを順次種類単位で提示した結果、パーソナルコンピュータ２からユーザによって選択された所望のコンテンツを指定する取得要求信号が送信されることによりこれをネットワークインターフェース部３５で受信して通信処理部３６を介して取り込むと、これに応じてハードディスクドライブ３１によりハードディスクから指定されたコンテンツのコンテンツデータを読み出してこれを通信処理部３６を介してネットワークインターフェース部３５からネットワーク３経由でパーソナルコンピュータ２に送信する。
【００３０】
このようにしてサーバ制御部３０は、ユーザに対し配信対象のコンテンツを提示して所望のコンテンツを選択させ、当該選択されたコンテンツをコンテンツデータとしてユーザのパーソナルコンピュータ２に配信し得るようになされている。
【００３１】
（２）コンテンツ提示処理
（２−１）コンテンツ提示選択画面を用いたコンテンツ提示選択処理
パーソナルコンピュータ２の中央処理ユニット１０は、コンテンツ配信サーバ４から例えば映像のカテゴリに属するコンテンツデータを取得する場合、操作入力部２０に対する操作に応じて入力処理部２１を介してコンテンツ配信サーバ４に対するログイン要求が入力されると、ハードディスクドライブ１１によりハードディスクからこれに予め記憶しているログイン画面データを読み出してこれを表示処理部２３を介してディスプレイ２４に送出することにより、当該ディスプレイ２４に図４に示すようなログイン画面４０を表示する。
【００３２】
この場合、ログイン画面４０には、ユーザ識別情報入力欄４１及びパスワード入力欄４２が設けられると共に、ログイン実行ボタン４３が設けられている。
【００３３】
従って中央処理ユニット１０は、操作入力部２０に対する操作に応じてログイン画面４０上でユーザ識別情報入力欄４１及びパスワード入力欄４２にユーザ識別情報及びパスワードが入力された後、ログイン実行ボタン４３が指示されると、その入力されたユーザ識別情報及びパスワードを格納したログイン要求信号を生成し、当該生成したログイン要求信号を通信処理部２７を介してネットワークインターフェース部２８からネットワーク３経由でコンテンツ配信サーバ４に送信する。
【００３４】
その結果、中央処理ユニット１０は、コンテンツ配信サーバ４からネットワーク３経由で送信された種類提示用データをネットワークインターフェース部２８で受信して通信処理部２７を介して取り込むと、ハードディスクドライブ１１によりハードディスクからこれに予め記憶している種類提示選択画面データを読み出す。
【００３５】
そして中央処理ユニット１０は、ハードディスクから読み出した種類提示選択画面データに種類提示用データを合成して（すなわち、カテゴリ（映像）を細分化した複数の種類を提示するための種類提示画像を合成して）表示処理部２３を介してディスプレイ２４に送出することにより、当該ディスプレイ２４に図５に示すような種類提示選択画面５０を表示する。
【００３６】
この場合、種類提示選択画面５０には、映像のカテゴリに属するコンテンツの複数の種類をそれぞれ提示するための表示子（以下、これを種類提示アイコンと呼ぶ）５１Ａ乃至５１Ｌが設けられている。
【００３７】
またこれら種類提示アイコン５１Ａ乃至５１Ｌには、それぞれ種類を表す名称（例えば、アクションや、サスペンス・ミステリ、ホラー、サイエンスフィクション（ＳＦ）等のジャンル名）が表示されると共に、その種類毎にサーバ側でそれぞれ任意に選定された（すなわち、単に種類を想起させるだけではなく宣伝等を兼ねて選定された）１又は複数のコンテンツを表すコンテンツ静止画像又は繰返再生される比較的短いコンテンツ動画像でなる種類提示画像が嵌め込まれている。
【００３８】
そして中央処理ユニット１０は、ディスプレイ２４に種類提示選択画面５０を表示したときには、その種類提示選択画面５０内で各種類提示アイコン５１Ａ乃至５１Ｌをそれぞれ無作為に選択した軌跡で移動させる。
【００３９】
これにより中央処理ユニット１０は、ユーザに対しわざわざ種類提示選択画面５０全体をくまなく見させなくても、視線をほとんど動かさずに、配信対象のコンテンツの種類を比較的短時間でより多く認識させることができるようにしている。
【００４０】
このようにして中央処理ユニット１０は、操作入力部２０に対する操作に応じて種類提示選択画面５０上で何れかの種類提示アイコン５１Ａ乃至５１Ｌが選択されると、当該選択された種類提示アイコン５１Ａ乃至５１Ｌで提示されている種類を示す提示要求信号を生成し、当該生成した提示要求信号を通信処理部２７を介してネットワークインターフェース部２８からネットワーク３経由でコンテンツ配信サーバ４に送信する。
【００４１】
その結果、中央処理ユニット１０は、コンテンツ配信サーバ４から、ユーザによって選択された種類に対応するコンテンツ提示用データ（コンテンツ宣伝用データを含む）がネットワーク３経由で送信されると、これをネットワークインターフェース部２８で受信して通信処理部２７を介して取り込み、当該取り込んだコンテンツ提示用データをＲＡＭ１５又はハードディスクドライブ１１のハードディスクに記録する。
【００４２】
そして中央処理ユニット１０は、ハードディスクドライブ１１によりハードディスクからこれに予め記憶しているコンテンツ提示選択画面データを読み出すと共に、当該読み出したコンテンツ提示選択画面データに対し、ＲＡＭ１５又はハードディスクから読み出したコンテンツ提示用データを合成して（すなわち、コンテンツ提示用データに含まれるコンテンツ静止画像のデータ（以下、これをコンテンツ静止画像データと呼ぶ）と、コンテンツ宣伝用データに含まれるコンテンツ動画像のデータ（以下、これをコンテンツ動画像データと呼ぶ）とを合成して）表示処理部２３を介してディスプレイ２４に送出することにより、当該ディスプレイ２４に図６に示すようなコンテンツ提示選択画面６０を表示する。
【００４３】
コンテンツ提示選択画面６０は、所定数のフロアに分割された円筒状の表示子配置部（以下、これをアイコン配置部と呼ぶ）を有し、中央処理ユニット１０によりアイコン配置部の各フロアにそれぞれ、種類提示選択画面５０で提示したコンテンツの種類が割り当てられている。
【００４４】
そしてコンテンツ提示選択画面６０では、アイコン配置部における各フロアの内壁のうち、コンテンツ配信サーバ４から取得されたコンテンツ提示用データに対応する種類の割り当てられたフロアの内壁に対し一周に渡って、その種類に属するコンテンツを表す所定の第１の大きさのコンテンツ静止画像でなる複数の表示子（以下、これを静止画像アイコンと呼ぶ）６２が碁盤の目状のパターンで配置され、フロアの内壁一周分の各静止画像アイコン６２のうち当該フロアの内壁における所定範囲の表示部分（以下、これをフロア内壁表示部分と呼ぶ）６１に配置された数行数列分の静止画像アイコン６２が表示されている。
【００４５】
因みにコンテンツ提示選択画面６０では、コンテンツの種類によって静止画像アイコン６２の数が異なる場合、アイコン配置部の各フロアの直径を変更することで、種類毎の静止画像アイコン６２の配置間隔や大きさ等が揃えられており、これにより種類の異なるコンテンツの提示が要求されても、常に同一の条件で静止画像アイコン６２を提示し得るようになされている。
【００４６】
またコンテンツ提示選択画面６０は、フロア内壁表示部分６１の各静止画像アイコン６２上に、宣伝対象として選定されたコンテンツを表し、かつ第１の大きさよりも大きいコンテンツ動画像でなる所定数の表示子（以下、これをコンテンツ宣伝アイコンと呼ぶ）６３が飛び石状に配置され、中央処理ユニット１０によりこれらコンテンツ宣伝アイコン６３として再生時間の比較的短いコンテンツ動画像が繰り返し再生されて表示されている。
【００４７】
さらにコンテンツ提示選択画面６０は、フロア内壁表示部分６１の各静止画像アイコン６２上、及びコンテンツ宣伝アイコン６３上に、少なくとも１個の静止画像アイコン６２及び他の１個の静止画像アイコン６２の一部（例えば、９個乃至１２個程度の静止画像アイコン６２）を囲んで見せることのできる大きさの円環状の指示枠６４Ａを有する指示子（以下、これをコンテンツカーソルと呼ぶ）６４が配置されている。
【００４８】
因みにコンテンツ提示選択画面６０では、コンテンツカーソル６４の所定部分に弓形状の種別表示部６４Ｂが設けられ、当該種別表示部６４Ｂにコンテンツの細分化に適用された複数の種類を統括する種別の名称（例えば、ジャンル別）が表示されている。
【００４９】
さらにまたコンテンツ提示選択画面６０は、画面垂直方向の一端（以下、これを特に画面上端と呼ぶ）中央部に、アイコン配置部に対して現在、コンテンツ提示選択画面６０で表示している静止画像アイコン６２の配置されたフロアを示すフロア情報通知部６５が設けられている。
【００５０】
中央処理ユニット１０は、ディスプレイ２４にコンテンツ提示選択画面６０を表示したときには、各コンテンツ宣伝アイコン６３をアイコン配置部のフロアの内壁上を水平方向に移動させることによりコンテンツ提示選択画面６０内でコンテンツ宣伝アイコン６３をフロア内壁表示部分６１に対し画面水平方向の一端（以下、これを画面右端と呼ぶ）から出現させてそのままフロア内壁表示部分６１を横切らせた後、他端（以下、これを画面左端と呼ぶ）から退出させるように表示する。
【００５１】
また中央処理ユニット１０は、マウスが移動操作されると、そのマウスの移動に連動させてコンテンツ提示選択画面６０内でコンテンツカーソル６４を自在に移動させる。
【００５２】
そして図７に示すように中央処理ユニット１０は、マウスの移動操作に応じてコンテンツ提示選択画面６０内でコンテンツカーソル６４を画面右端まで移動させ、さらに右側に移動させるようにマウスが移動操作されたときには、これに応じて表示中のフロアをその中心軸を中心にして左方向に回転させる。
【００５３】
これにより中央処理ユニット１０は、このようにマウスが移動操作されたときには、コンテンツ提示選択画面６０内で画面右端からフロア内壁表示部分６１の右側の新たな部分を出現させつつ、それまで表示していた左側の部分を画面左端から退出させるようにして、当該コンテンツ提示選択画面６０内に表示する静止画像アイコン６２をフロア内壁表示部分６１と共に変更する。
【００５４】
これに対して図８に示すように中央処理ユニット１０は、マウスの移動操作に応じてコンテンツ提示選択画面６０内でコンテンツカーソル６４を画面左端まで移動させ、さらに左側に移動させるようにマウスが移動操作されたときには、これに応じてフロアをその中心軸を中心にして右方向に回転させる。
【００５５】
これにより中央処理ユニット１０は、このようにマウスが移動操作されたときには、コンテンツ提示選択画面６０内で画面左端からフロア内壁表示部分６１の左側の新たな部分を出現させつつ、それまで表示していた右側の部分を画面右端から退出させるようにして、当該コンテンツ提示選択画面６０内に表示する静止画像アイコン６２をフロア内壁表示部分６１と共に変更する。
【００５６】
このようにして中央処理ユニット１０は、マウスの移動操作に応じてコンテンツ提示選択画面６０内で、各静止画像アイコン６２に対してコンテンツカーソル６４を相対的に移動させることで、アイコン配置部のフロアにおける一括しては表示しきれない複数の静止画像アイコン６２をフロア内壁表示部分６１と共に適宜変更しながら表示し、かくしてユーザに対し任意の種類に属する全てのコンテンツをその静止画像アイコン６２によって提示し得るようになされている。
【００５７】
さらに図９に示すように中央処理ユニット１０は、マウスの移動操作に応じてコンテンツ提示選択画面６０内でコンテンツカーソル６４を画面垂直方向の上端まで移動させ、さらに上側に移動させるようにマウスが移動操作されたときには、その時点でアイコン配置部に対し表示中のフロアよりも一段上のフロアが存在するか否かを判別する。
【００５８】
その結果、中央処理ユニット１０は、アイコン配置部に対し、その時点で表示中のフロアよりも一段上のフロアが存在しなければ、コンテンツ提示選択画面６０内でフロアを何ら変更せずに引き続きコンテンツカーソル６４を任意に移動させる。
【００５９】
これに対して中央処理ユニット１０は、その時点で表示中のフロアよりも一段上のフロアが存在すれば、これに応じてＲＡＭ１５又はハードディスク内のコンテンツ提示用データを検索することにより、当該一段上のフロアに割り当てた種類に対応するコンテンツ提示用データをすでにコンテンツ配信サーバ４から取得しているか否かを判別する。
【００６０】
その結果、中央処理ユニット１０は、その一段上のフロアに割り当てた種類に対応するコンテンツ提示用データをすでに取得していると、ＲＡＭ１５又はハードディスクからそのコンテンツ提示用データを読み出して上述と同様にコンテンツ提示選択画面データに対しコンテンツ提示用データを合成して表示処理部２３を介してディスプレイ２４に送出することにより当該ディスプレイ２４に、提示するコンテンツの種類をフロアと共に変更した図６と同様構成のコンテンツ提示選択画面を表示する。
【００６１】
一方、中央処理ユニット１０は、ＲＡＭ１５又はハードディスク内のコンテンツ提示用データを検索した結果、その時点で表示中のフロアよりも一段上のフロアに割り当てた種類に対応するコンテンツ提示用データをコンテンツ配信サーバ４から未だ取得してはいなければ、その新たな種類を示す提示要求信号を生成して通信処理部２７を介してネットワークインターフェース部２８からネットワーク３経由でコンテンツ配信サーバ４に送信する。
【００６２】
これにより中央処理ユニット１０は、コンテンツ配信サーバ４からネットワーク３経由で送信された新たな種類に対応するコンテンツ提示用データ（コンテンツ宣伝用データを含む）をネットワークインターフェース部２８で受信して通信処理部２７を介して取り込み、ＲＡＭ１５又はハードディスクドライブ１１のハードディスクに記録すると共に、コンテンツ提示選択画面データにその新たなコンテンツ提示用データを合成して表示処理部２３を介してディスプレイ２４に送出することにより当該ディスプレイ２４に、提示するコンテンツの種類をフロアと共に変更した図６と同様構成のコンテンツ提示選択画面を表示する。
【００６３】
さらにまた図１０に示すように中央処理ユニット１０は、マウスの移動操作に応じてコンテンツ提示選択画面６０内でコンテンツカーソル６４を画面垂直方向の下端まで移動させ、さらに下側に移動させるようにマウスが移動操作されたときには、その時点でアイコン配置部に対し表示中のフロアよりも一段下のフロアが存在するか否かを判別する。
【００６４】
その結果、中央処理ユニット１０は、その時点で表示中のフロアよりも一段下のフロアが存在しなければ、コンテンツ提示選択画面６０内でフロアを何ら変更せずに引き続きコンテンツカーソル６４を任意に移動させ、これに対してその一段下のフロアが存在すれば、上述した提示するコンテンツの種類を変更する際と同様に当該一段下のフロアに割り当てた種類に対応するコンテンツ提示用データをすでにコンテンツ配信サーバ４から取得しているか否かを判別する。
【００６５】
そして中央処理ユニット１０は、その一段下のフロアに割り当てた種類に対応するコンテンツ提示用データをすでに取得していると、上述と同様にその取得しているコンテンツ提示用データをコンテンツ提示選択画面データに合成して表示処理部２３を介してディスプレイ２４に送出することにより当該ディスプレイ２４に、提示するコンテンツの種類をフロアと共に変更した図６と同様構成のコンテンツ提示選択画面を表示する。
【００６６】
また中央処理ユニット１０は、新たな種類（すなわち、その時点で表示しているフロアよりも一段下のフロアに割り当てた種類）に対応するコンテンツ提示用データの取得が必要であれば、その新たな種類を示す提示要求信号を生成して通信処理部２７を介してネットワークインターフェース部２８からネットワーク３経由でコンテンツ配信サーバ４に送信する。
【００６７】
これにより中央処理ユニット１０は、コンテンツ配信サーバ４からネットワーク３経由で送信された新たな種類に対応するコンテンツ提示用データ（コンテンツ宣伝用データを含む）をネットワークインターフェース部２８で受信して通信処理部２７を介して取り込み、ＲＡＭ１５又はハードディスクドライブ１１のハードディスクに記録すると共に、上述と同様にコンテンツ提示選択画面データにその新たに取得したコンテンツ提示用データを合成して表示処理部２３を介してディスプレイ２４に送出することにより当該ディスプレイ２４に、提示するコンテンツの種類をフロアと共に変更した図６と同様構成のコンテンツ提示選択画面を表示する。
【００６８】
このようにして中央処理ユニット１０は、コンテンツ提示選択画面６０内のコンテンツカーソル６４に対する移動方向に応じて、ユーザに提示するコンテンツの種類を容易に変更し得るようになされている。
【００６９】
ところで図１１に示すように中央処理ユニット１０は、例えばマウスの左ボタンが押下され続けると、コンテンツカーソル６４の種別表示部６４Ｂの一端から弓形状の種類提示選択部６４Ｃを出現させて延ばすように表示し、当該左ボタンに対する押下が継続されている間は、その種類提示選択部６４Ｃの表示を維持する。
【００７０】
この場合、中央処理ユニット１０は、種類提示選択部６４Ｃの近傍にサーバ側でコンテンツを細分化した際の種類の名称を表示した状態でマウスが移動操作又はマウスの回転操作子が回転操作されると、これに応じて各種類名の表示状態を順番に変更すると共に、いずれか１つの種類名の表示状態を変更している状態でマウスの右ボタンがクリック操作されると、コンテンツ提示選択画面６０内でその時点まで表示していた静止画像アイコン６２を当該表示状態を変更した種類に対応する静止画像アイコン６２に切り替える。
【００７１】
このようにして中央処理ユニット１０は、図９及び図１０について上述したコンテンツに対する種類の変更方法のみならず、コンテンツカーソル６４の種類提示選択部６４Ｃを利用した種類の変更方法によっても、コンテンツ提示選択画面６０内を介して提示するコンテンツの種類を変更し得るようになされている。
【００７２】
因みに図１２（Ａ）及び（Ｂ）に示すように中央処理ユニット１０は、図９乃至図１１について上述したようにコンテンツ提示選択画面６０においてユーザに提示するコンテンツの種類を変更したときには、フロア情報通知部６５において、フロア通知目盛６５Ａに隣接するフロア指示子６５Ｂの表示位置と、フロア通知領域６５Ｃ内でのフロア数（数字）の表示、またアイコン配置部を想起させるような円筒状のフロア通知部６５Ｄ内への対応する種類名の表示等により、コンテンツ提示選択画面６０を介してユーザに提示しているコンテンツの種類及びその種類を割り当てたフロアを通知し得るようになされている。
【００７３】
また中央処理ユニット１０は、かかるフロア情報通知部６５において、フロア通知目盛６５Ａに対するフロア指示子６５Ｂの位置等により、現在のフロアよりも上や下に他のフロアが存在するか否かも合わせて通知し得るようになされている。
【００７４】
さらに中央処理ユニット１０は、コンテンツ提示選択画面６０の表示を開始したとき等の表示初期状態では、フロア内壁全体に対しコンテンツカーソル６４を向ける部分（すなわち、表示初期状態のフロア内壁表示部分６１）が予め設定されており、フロア情報通知部６５のフロア内面表示通知部６５Ｅにおいて円環状のフロア６５ＥＡ内で三角形のカーソル向通知子６５ＥＢにおける鈍角の頂点を例えば上に向けることにより、その鈍角の向きでコンテンツカーソル６４の向いている表示初期状態のフロア内壁表示部分６１を通知し得るようになされている。
【００７５】
さらにまた中央処理ユニット１０は、図７及び図８について上述したようにコンテンツカーソル６４の移動に応じてフロアを左右に回転させたときには、フロア内壁表示通知部６５Ｅのフロア６５ＥＡ内でカーソル向通知子６５ＥＢを左右に回転させて鈍角の向きを替えることでフロア内壁全体に対しコンテンツカーソル６４の向いたフロア内壁表示部分６１がどこであるかを通知し得るようになされている。
【００７６】
そして中央処理ユニット１０は、コンテンツ提示選択画面６０内で実際にフロアを回転させたときには、フロア内壁表示通知部６５Ｅのフロア６５ＥＡを固定し、カーソル向通知子６５ＡＢのみを回転させていることにより、ユーザにより１又は複数の所望の静止画像アイコン６２に対する配置位置が大まかにでも覚えられているときには、そのフロア内壁表示通知部６５によりユーザに対し実際にフロアをどのくらい回転させるかを容易に判断させ得るようになされている。
【００７７】
このようにして中央処理ユニット１０は、ユーザに対してコンテンツ提示選択画面６０によりコンテンツを提示する際に、フロア情報通知部６５により、提示中のコンテンツの種類に対応するフロアに関し各種情報を通知し得るようになされている。
【００７８】
かかる構成に加えて中央処理ユニット１０は、ディスプレイ２４にコンテンツ提示選択画面６０（図６乃至図１１）を表示している間は、コンテンツカーソル６４の移動の有無にかわらずに指示枠６４Ａ内に少なくとも一部が入っている静止画像アイコン（以下、これを特に枠内静止画像アイコンと呼ぶ）６２を全て検出すると共に、当該検出した全ての枠内静止画像アイコン６２のうち、指示枠６４Ａ内に入っている部分の大きい上位ｎ個（例えば、９個）の枠内静止画像アイコン６２を拡大表示対象として判別する。
【００７９】
そして中央処理ユニット１０は、拡大表示対象の枠内静止画像アイコン（以下、これを特に拡大対象静止画像アイコンと呼ぶ）６２を判別すると、ＲＡＭ１５又はハードディスクから、当該判別した各拡大対象静止画像アイコン６２にそれぞれ対応付けられた（すなわち、コンテンツ静止画像データに対応付けられた）コンテンツ動画像データを読み出すと共に、当該読み出したコンテンツ動画像データをコンテンツ提示選択画面データに合成して表示処理部２３を介してディスプレイ２４に送出する。
【００８０】
これにより中央処理ユニット１０は、コンテンツカーソル６４の指示枠６４Ａ内で各拡大対象静止画像アイコン６２に替えて対応するコンテンツ動画像データに基づく第１の大きさよりも大きい第２の大きさのコンテンツ動画像でなる複数の動画像表示子（以下、これを動画像アイコンと呼ぶ）６６を表示する。
【００８１】
このようにして中央処理ユニット１０は、コンテンツ提示選択画面６０内でのコンテンツカーソル６４の移動に伴い指示枠６４Ａ内に入っている枠内静止画像アイコン６２が替わると、これに応じて指示枠６４Ａ内に表示する動画像アイコン６６も替えるものの、同一の枠内静止画像アイコン６２を拡大表示対象として判別している間は、当該指示枠６４Ａ内に対応する動画像アイコン６６として再生時間の比較的短いコンテンツ動画像を繰り返し再生して表示する。
【００８２】
また中央処理ユニット１０は、コンテンツカーソル６４の指示枠６４Ａ内の中心部に最も近い拡大対象静止画像アイコン６２も合わせて判別し、当該判別した拡大対象静止画像アイコン６２のみについては、これに対応付けられたコンテンツ動画像データの再生に加えて、ＲＡＭ１５又はハードディスクから、その判別した拡大対象静止画像アイコン６２に対応付けられたコンテンツ音声のデータ（以下、これをコンテンツ音声データと呼ぶ）も読み出して音声処理部２５を介してスピーカ２６に送出する。
【００８３】
これにより中央処理ユニット１０は、コンテンツカーソル６４の指示枠６４Ａ内の中心部に最も近い拡大対象静止画像アイコン６２についてだけは、その拡大対象静止画像アイコン６２に替えた動画像アイコン６６（すなわち、コンテンツ動画像）と共にコンテンツ音声も合わせて視聴させ得るようになされている。
【００８４】
このようにして中央処理ユニット１０は、コンテンツ提示選択画面６０内でコンテンツカーソル６４を移動させたとき及び停止させたときの何れにおいても、指示枠６４Ａ内に入っている複数の拡大対象静止画像アイコン６２をそれぞれこれよりも大きい対応する動画像アイコン６６に変更することにより、ユーザに対しその動画像アイコン６６としてのコンテンツ動画像を視認性を向上させて見せることができる。
【００８５】
また中央処理ユニット１０は、指示枠６４Ａ内に表示した動画像アイコン６６としてのコンテンツ動画像によりユーザに対して当該動画像アイコン６６の示しているコンテンツの内容を的確に確認させ得ると共に、その際には指示枠６４Ａ内に複数の動画像アイコン６４を一括して表示することによりユーザに対し複数のコンテンツの内容を容易に比較させながら確認させることができる。
【００８６】
さらに中央処理ユニット１０は、このときコンテンツカーソル６４の指示枠６４Ａ内で中心部に最も近い拡大対象静止画像アイコン６２については、動画像アイコン６６への表示の変更と共にコンテンツ音声も合わせて出力することにより、コンテンツ動画像及びコンテンツ音声により対応するコンテンツの内容をさらに的確に確認させることができる。
【００８７】
ところで中央処理ユニット１０は、コンテンツカーソル６４の指示枠６４Ａ内で拡大対象静止画像アイコン６２に替えて動画像アイコン６６を表示する場合、例えば拡大対象静止画像アイコン６２の中心点（以下、これを静止画像アイコン中心点と呼ぶ）に動画像アイコン６６の中心点（以下、これを動画像アイコン中心点と呼ぶ）を対向させている。
【００８８】
このため図１３に示すように中央処理ユニット１０は、コンテンツ提示選択画面６０内でコンテンツカーソル６４の移動を停止させた時点に、スピーカ２６から出力しているコンテンツ音声に対応付けられた動画像アイコン６６を必ずしも指示枠６４Ａの中心部に位置させ得るとは限らない。
【００８９】
従って図１４に示すように中央処理ユニット１０は、マウス対する移動操作が停止されたことで、操作入力部２０を介したコンテンツカーソル６４に対する移動命令の入力が停止すると、コンテンツ提示選択画面６０内で、枠内静止画像アイコン６２の検出結果に応じて拡大対象静止画像アイコン６２を判別し、その判別結果に従い指示枠６４Ａ内のｎ個の拡大対象静止画像アイコン６２をそれぞれ対応する動画像アイコン６６に替えているものの、コンテンツカーソル６４の指示枠６４Ａ内の指示枠中心点に最も近い動画像アイコン中心点を判別することで、当該判別した動画像アイコン中心点に指示枠中心点を対向させて各静止画像アイコン６２に対するコンテンツカーソル６４の相対的な移動を停止させる。
【００９０】
因みに中央処理ユニット１０は、コンテンツ提示選択画面６０内でコンテンツカーソル６４がマウスの移動操作に連動した移動の後に停止したときや、コンテンツカーソル６４に対してフロア内壁表示部分６１が移動した後に停止したとき等のように、マウスに対する移動操作が停止されたとき（すなわち、マウスを介したコンテンツカーソル６４に対する移動命令の入力が停止したとき）には、各静止画像アイコン６２に対してコンテンツカーソル６４の相対的な移動が停止したときと判断している。
【００９１】
これにより中央処理ユニット１０は、コンテンツ提示選択画面６０内でコンテンツカーソル６４を停止させるときには、指示枠６４Ａ内の中心部に、指示枠中心点に最も近い動画像アイコン中心点の動画像アイコン（以下、これを特に中心部動画像アイコンと呼ぶ）６６Ａを位置させるようにそのコンテンツカーソル６４を位置合わせすることで、当該中心部動画像アイコン６６Ａ（すなわち、コンテンツ動画像）を指示枠６４Ａによって何ら覆うことなくその全体を確実に見せることができる。
【００９２】
従って中央処理ユニット１０は、ユーザによりコンテンツ提示選択画面６０内でコンテンツの内容の確認用に何れかの静止画像アイコン６２が指示されたとき（すなわち、指示枠６４Ａ内に何れかの静止画像アイコン６２を入れた状態でコンテンツカーソル６２の移動を停止させたとき）には、当該指示された静止画像アイコン６２が指示枠６４Ａ内のほぼ中心部に近いほど、その指示された静止画像アイコン６２に対応する動画像アイコン６６（すなわち、中心部動画像アイコン６６Ａ）全体を指示枠６４Ａ内の中心部で完全に露出させてユーザに見せることができ、かくしてその中心部動画像アイコン６６Ａによりコンテンツの内容を的確に確認させることができる。
【００９３】
因みに中央処理ユニット１０は、このようにコンテンツ提示選択画面６０内でコンテンツカーソル６４を停止させたときには、指示枠６４Ａ内に、ユーザによって指示された静止画像アイコン６２に対応する中心部動画像アイコン６６Ａと共に当該指示された静止画像アイコン６２周辺の他の静止画像アイコン６２に対応する他の動画像アイコン６６の少なくとも一部をも合わせて表示することにより、これら他の動画像アイコン６６の示しているコンテンツの内容も合わせて確認させることができる。
【００９４】
ところで図１５に示すように中央処理ユニット１０は、図１４について説明したようにコンテンツ提示選択画面６０内でコンテンツカーソル６４を停止させた状態で、例えばマウスにおいて左ボタンがクリック操作されると、指示枠６４Ａ内の中心部動画像アイコン６６Ａが指示されたと認識して当該中心部動画像アイコン６６Ａをその第２の大きさよりもさらに大きい第３の大きさに拡大する。
【００９５】
これにより中央処理ユニット１０は、その拡大した中心部動画像アイコン（以下、これを特に拡大動画像アイコンと呼ぶ）６６Ｂによりユーザに対しコンテンツの内容の確認用として静止画像アイコン６２を正しく指示したか否かを確認させることができる。
【００９６】
また中央処理ユニット１０は、このときＲＡＭ１５又はハードディスクから、その拡大動画像アイコン６６Ｂに対応付けられたコンテンツ属性情報のデータ（以下、これをコンテンツ属性情報データと呼ぶ）を読み出すと共に、当該読み出したコンテンツ属性情報データをコンテンツ提示選択画面データに合成して表示処理部２３を介してディスプレイ２４に送出する。
【００９７】
これにより中央処理ユニット１０は、コンテンツ提示選択画面６０内にコンテンツカーソル６４の表示部分を避けて属性情報提示部６７を表示すると共に、その内部にコンテンツ属性情報データに基づくコンテンツ属性情報を表示する。
【００９８】
この場合、コンテンツ属性情報は、コンテンツのタイトル、再生時間、コンテンツデータのデータ容量、コンテンツの発売日、コンテンツの価格、コンテンツを作成した監督やプロデューサ等のスタッフ、キャスト（コンテンツが映画であれば、主演男優や主演女優等の出演者、コンテンツが音楽や写真であれば、アーティスト）、コンテンツの内容を説明するコメント等の各種属性項目に対する説明内容から構成されている。
【００９９】
従って中央処理ユニット１０は、コンテンツ提示選択画面６０においてコンテンツカーソル６４の指示枠６４Ａ内の中心部動画像アイコン６６Ａが指示されると、その中心動画像アイコン６６Ａとしてのコンテンツ動画像（すなわち、拡大動画像アイコン６６Ｂとしてのコンテンツ動画像（及びコンテンツ音声））に加えて、属性情報提示部６７内のコンテンツ属性情報によってもコンテンツの内容をより詳細に確認させ得るようになされている。
【０１００】
これに加えて中央処理ユニット１０は、このときコンテンツ提示選択画面６０において画面垂直方向の他端（以下、これを特に画面下端と呼ぶ）中央部に購入ボタン６８及び取消ボタン６９を表示する。
【０１０１】
これにより中央処理ユニット１０は、コンテンツ提示選択画面６０を介してユーザにコンテンツ属性情報を提示した状態で（すなわち、コンテンツ提示選択画面６０内に属性情報提示部６７と共にコンテンツ属性情報を表示している状態で）、操作入力部２０に対する操作に応じてそのコンテンツ提示選択画面６０上で購入ボタン６８が選択指示されると、これに応じてＲＡＭ１５又はハードディスクから、その時点に表示している拡大動画像アイコン６６Ｂに対応するコンテンツ識別情報を読み出す。
【０１０２】
そして中央処理ユニット１０は、そのコンテンツ識別情報を格納した取得要求信号を生成しこれを通信処理部２７を介してネットワークインターフェース部２８からネットワーク３経由でコンテンツ配信サーバ４に送信することにより、当該コンテンツ配信サーバ４からユーザによって選択されたコンテンツデータを取得し得るようになされている。
【０１０３】
因みに中央処理ユニット１０は、コンテンツカーソル６４の指示枠６４Ａ内にコンテンツ宣伝アイコン６３が入り込んで中心部に位置しているときに、アイコンの指示命令が入力されると、上述と同様にしてそのコンテンツ宣伝アイコン６３に対応するコンテンツ属性情報をコンテンツ提示選択画面６０内に追加表示させる。
【０１０４】
従って中央処理ユニット１０は、コンテンツ提示選択画面６０においてコンテンツカーソル６４の指示枠６４Ａ内に表示した動画像アイコン６６の示しているコンテンツの詳細情報（すなわち、コンテンツ属性情報）のみを提示し、かつ取得させるわけではなく、コンテンツ宣伝アイコン６３の示しているコンテンツの詳細情報を提示し、かつ取得させることもできる。
【０１０５】
なお中央処理ユニット１０は、コンテンツ提示選択画面６０を介してユーザにコンテンツ属性情報を提示した状態で、操作入力部２０に対する操作に応じてそのコンテンツ提示選択画面６０上で取消ボタン６９が選択指示されると、当該コンテンツ提示選択画面６０内から属性情報提示部６７と共にコンテンツ属性情報を消去すると共に、購入ボタン６８及び取消ボタン６９も消去し、さらにコンテンツカーソル６４の指示枠６４Ａ内の拡大動画像アイコン６６Ｂを一段階前の第２の大きさの中心部動画像アイコン６６Ａに戻す。
【０１０６】
これにより中央処理ユニット１０は、このように取消ボタン６９が選択指示されたときには、コンテンツ提示選択画面６０内で再びコンテンツカーソル６４を任意に移動可能な状態にし、かくして静止画像アイコン６２により配信対象のコンテンツを提示しながら適宜、中心部動画像アイコン６６Ａ、拡大動画像アイコン６６Ｂ、コンテンツ音声及びコンテンツ属性情報によりその配信対象のコンテンツの内容を確認させ得るようになされている。
【０１０７】
なおこの実施の形態の場合、図１６に示すように中央処理ユニット１０は、例えばマウスの右ボタンに対する押下が継続された状態で当該マウスが右回りの円を描くように移動操作又は左周りの円を描くように移動操作されると、コンテンツ属性情報に含まれる各種属性項目の名称やその属性項目に対する説明文の中で予め選定されている特定の単語を再編成用種別名としてコンテンツカーソル６４の種別表示部６４Ｂに順次切り替えながら表示し、何れかの再編成用種別名を表示した状態でマウスの右ボタンに対する押下が終了すると、その時点に表示していた再編成用種別名をコンテンツの細分化に適用する複数の種類の種別（監督別や俳優名別、発売日別、価格別等）に設定させ得るようになされている。
【０１０８】
そして中央処理ユニット１０は、このようにサーバ側で選定されていた種別とは異なり、ユーザによって任意に選定された種別をコンテンツの細分化に適用するように設定したときには、当該任意に選定された種別に対してサーバ側で予め選定されていた複数の種類や、ユーザによって任意に選定された複数の種類に基づいてコンテンツ属性情報を検索し、その検索結果に応じてコンテンツ提示用データを、新たな種別の複数の種類で分類し直すようにして再編成する。
【０１０９】
これにより中央処理ユニット１０は、このようにコンテンツ提示用データの分類を再編成した後には、アイコン配置部の各フロアにそれぞれ新たな種類を割り当て、その割り当てに応じた構成のコンテンツ提示選択画面を表示することにより、ユーザの嗜好に合わせた構成のコンテンツ提示選択画面を介して各種コンテンツを提示し、かくして所望のコンテンツデータを選択させて取得させ得るようになされている。
【０１１０】
（２−２）コンテンツ提示処理手順
次いでパーソナルコンピュータ２において実際にユーザに対し各種コンテンツを提示するコンテンツ提示処理について以下に説明する。
【０１１１】
ただしかかるコンテンツ提示処理については、コンテンツカーソル６４の指示枠６４Ａ内に入った枠内静止画像アイコン６２のうち拡大対象静止画像アイコン６２を判別する判別手法が２種類あるため、これら判別手法を適用した２種類のコンテンツ提示処理を順番に説明する。
【０１１２】
（２−２−１）アイコン及びカーソル間の距離を利用する第１の判別手法を適用した第１のコンテンツ提示処理手順
パーソナルコンピュータ２の中央処理ユニット１０は、コンテンツ配信サーバ４からコンテンツ提示用データを取得する等してコンテンツ提示選択画面６０の表示が要求されると、ハードディスクドライブ１１のハードディスクに予め記憶している第１のコンテンツ提示プログラムに従って図１７に示す第１のコンテンツ提示処理手順ＲＴ１を開始する。
【０１１３】
中央処理ユニット１０は、第１のコンテンツ提示処理手順ＲＴ１を開始すると、ステップＳＰ１においてディスプレイ２４にコンテンツ提示選択画面６０を表示すると共に、そのコンテンツ提示選択画面６０内にユーザによって選定された種類のコンテンツを表す複数の静止画像アイコン６２を表示して、次のステップＳＰ２に移る。
【０１１４】
ステップＳＰ２において中央処理ユニット１０は、図１８（Ａ）に示すように例えばコンテンツ提示選択画面６０内でコンテンツカーソル６４における指示枠中心点ＣＰの座標及び当該指示枠中心点ＣＰから内周までの半径Ｒ１と、四角形の各静止画像アイコン６２の四隅の座標とに基づいて、当該指示枠６４Ａ内に少なくとも一部が入っている静止画像アイコン６２を全て枠内静止画像アイコン６２Ａとして検出する。
【０１１５】
そして中央処理ユニット１０は、図１８（Ｂ）に示すように、コンテンツカーソル６４の指示枠中心点ＣＰと、枠内静止画像アイコン６２Ａの静止画像アイコン中心点ＳＰとの間の中心点間距離を算出して、次のステップＳＰ３に移る。
【０１１６】
ステップＳＰ３において中央処理ユニット１０は、全ての枠内静止画像アイコン６２Ａのうち、コンテンツカーソル６４の指示枠中心点ＣＰに対して中心点間距離の短い上位ｎ個の枠内静止画像アイコン６２Ａを指示枠６４Ａ内により多くの部分が入っている（すなわち、ユーザによりコンテンツカーソル６４を介して指示された可能性が高い）ものとして拡大表示対象（すなわち、拡大対象静止画像アイコン６２）と判別して、次のステップＳＰ４に移る。
【０１１７】
ステップＳＰ４において中央処理ユニット１０は、コンテンツカーソル６４の指示枠６４Ａ内に、拡大表示対象として判別したｎ個の第１の大きさの拡大対象静止画像アイコン６２に替えて対応する第２の大きさのｎ個の動画像アイコン６６を表示することで、その拡大対象静止画像アイコン６２を対応する動画像アイコン６６として拡大して、次のステップＳＰ５に移る。
【０１１８】
ステップＳＰ５において中央処理ユニット１０は、コンテンツ提示選択画面６０内でコンテンツカーソル６４の移動を停止させているか否かを判断する。
【０１１９】
このステップＳＰ５において否定結果が得られると、このことはユーザによるマウスの移動操作に応じてコンテンツ提示選択画面６０内でコンテンツカーソル６４を移動させていることにより、内容を確認すべきコンテンツが探されている途中であることを表しており、このとき中央処理ユニット１０は、ステップＳＰ２に戻る。
【０１２０】
これにより中央処理ユニット１０は、この後、ステップＳＰ５において肯定結果を得るまでの間は、ステップＳＰ２乃至ステップＳＰ５の処理を循環的に繰り返すことにより、ユーザによりコンテンツ提示選択画面６０内で内容を確認すべきコンテンツが探し出されることを待ち受ける。
【０１２１】
そしてステップＳＰ５において肯定結果が得られると、このことはユーザによるマウスの移動操作の停止に応じてコンテンツ提示選択画面６０内で何れかの静止画像アイコン６２を指示枠６４内に位置させた状態（すなわち、指定された状態）でコンテンツカーソル６４の移動を停止させることにより、内容を確認すべきコンテンツが探し出されたことを表しており、このとき中央処理ユニット１０は、次のステップＳＰ６に移る。
【０１２２】
ステップＳＰ６において中央処理ユニット１０は、全ての動画像アイコン６６のうち、コンテンツカーソル６４の指示枠中心点ＣＰに対して中心点間距離の最も短い枠内静止画像アイコン６２Ａに対応する動画像アイコン６６を中心部動画像アイコン６６Ａとして判別する。
【０１２３】
そして中央処理ユニット１０は、その判別した中心部動画像アイコン６６Ａの動画像アイコン中心点に指示枠中心点ＣＰを対向させるようにコンテンツカーソル６４を位置合わせして停止させることで、当該コンテンツカーソル６４の指示枠６４Ａの中心部に中心部動画像アイコン６６Ａを位置させて、次のステップＳＰ７に移る。
【０１２４】
ステップＳＰ７において中央処理ユニット１０は、コンテンツカーソル６４の指示枠６４Ａの中心部に位置する中心部動画像アイコン６６Ａがコンテンツの内容の確認用に指示されたか否かを判断する。
【０１２５】
このステップＳＰ７において肯定結果が得られると、このことはユーザにより中心部動画像アイコン６６Ａの示しているコンテンツの内容をコンテンツ属性情報によって確認するように要求されたことを表しており、このとき中央処理ユニット１０は、次のステップＳＰ８に移る。
【０１２６】
ステップＳＰ８において中央処理ユニット１０は、コンテンツ提示選択画面６０内に、中心部動画像アイコン６６Ａに対応するコンテンツ属性情報を追加表示して、次のステップＳＰ９に移る。
【０１２７】
ステップＳＰ９において中央処理ユニット１０は、コンテンツ属性情報の提示の後にユーザによりコンテンツに対する内容の確認が終了したことを表す終了命令が入力されると、ユーザに対するコンテンツの提示が終了したと判断して、次のステップＳＰ１０に移り、かかる第１のコンテンツ提示処理手順ＲＴ１を終了する。
【０１２８】
これに対してステップＳＰ９において中央処理ユニット１０は、コンテンツ属性情報の提示の後に引き続きマウスに対する移動操作に応じてコンテンツ提示選択画面６０内でコンテンツカーソル６４を移動させると、ユーザによって他のコンテンツに対する内容の確認が要求されていることにより、コンテンツの提示を未だ終了しないと判断し、このとき中央処理ユニット１０は、ステップＳＰ１１に移る。
【０１２９】
そしてステップＳＰ１１において中央処理ユニット１０は、ユーザにより提示すべきコンテンツの種類の変更が何ら要求されなければ、ステップＳＰ５に戻り、これに対して提示すべきコンテンツの種類の変更が要求されると、ステップＳＰ１に戻ってコンテンツ提示選択画面６０内に新たに要求された種類に対応する複数の静止画像アイコン６２を表示する。
【０１３０】
因みに上述のステップＳＰ７において否定結果が得られると、このことはコンテンツ提示選択画面６０内で移動を停止させたコンテンツカーソル６４を介して、単にコンテンツ動画像のみでコンテンツの内容が確認されたことを表しており、このとき中央処理ユニット１０は、ステップＳＰ９に移る。
【０１３１】
このようにして中央処理ユニット１０は、かかる第１のコンテンツ提示処理手順ＲＴ１を実行することで、ユーザに対しコンテンツの種類を替えず又は適宜替えて１又は複数のコンテンツの内容を確認させることができる。
【０１３２】
（２−２−２）指示枠内のアイコンの面積を利用する第２の判別手法を適用した第２のコンテンツ提示処理手順
パーソナルコンピュータ２の中央処理ユニット１０は、コンテンツ配信サーバ４からコンテンツ提示用データを取得する等してコンテンツ提示選択画面６０の表示が要求されると、ハードディスクドライブ１１のハードディスクに予め記憶している第２のコンテンツ提示プログラムに従って図１７との対応部分に同一符号を付した図１９に示す第２のコンテンツ提示処理手順ＲＴ２を開始する。
【０１３３】
中央処理ユニット１０は、第２のコンテンツ提示処理手順ＲＴ２を開始すると、ステップＳＰ１の処理を実行した後、次のステップＳＰ２１に移る。
【０１３４】
ステップＳＰ２１において中央処理ユニット１０は、図２０（Ａ）に示すように例えばコンテンツ提示選択画面６０内でコンテンツカーソル６４における指示枠中心点ＣＰの座標及び当該指示枠中心点ＣＰから内周までの半径Ｒ１と、四角形の各静止画像アイコン６２の四隅の座標とに基づいて、当該指示枠６４Ａ内に少なくとも一部が入っている静止画像アイコン６２を全て枠内静止画像アイコン６２Ａとして検出する。
【０１３５】
そして中央処理ユニット１０は、図２０（Ｂ）に示すように、枠内静止画像アイコン６２Ａに対して、コンテンツカーソル６４の指示枠６４Ａ内に入っている部分６２ＡＸの枠内部分面積を算出して、次のステップＳＰ２２に移る。
【０１３６】
ステップＳＰ２２において中央処理ユニット１０は、全ての枠内静止画像アイコン６２Ａのうち枠内部分面積の大きい上位ｎ個の枠内静止画像アイコン６２Ａを指示枠６４Ａ内により多くの部分が入っている（すなわち、ユーザによりコンテンツカーソル６４を介して指示された可能性が高い）ものとして拡大表示対象（すなわち、拡大対象静止画像アイコン６２）と判別して、次のステップＳＰ４に移る。
【０１３７】
中央処理ユニット１０は、ステップＳＰ４及びステップＳＰ５の処理を順次実行し、そのステップＳＰ５において肯定結果を得ると、次のステップＳＰ２３に移る。
【０１３８】
ステップＳＰ２３において中央処理ユニット１０は、全ての動画像アイコン６６のうち、コンテンツカーソル６４の指示枠６４Ａ内の枠内部分面積が最も大きい枠内静止画像アイコン６２Ａに対応する動画像アイコン６６を中心部動画像アイコン６６Ａとして判別する。
【０１３９】
そして中央処理ユニット１０は、その判別した中心部動画像アイコン６６Ａの動画像アイコン中心点に指示枠中心点を対向させるようにコンテンツカーソル６４を位置合わせして停止させることで、当該コンテンツカーソル６４の指示枠６４Ａの中心部に中心部動画像アイコン６６Ａを位置させて、次のステップＳＰ７に移る。
【０１４０】
これにより中央処理ユニット１０は、この後ステップＳＰ７乃至ステップＳＰ９の処理を順次実行し、当該ステップＳＰ９において肯定結果を得ると、次のステップＳＰ２４に移ってかかる第２のコンテンツ提示処理手順ＲＴ２を終了する。
【０１４１】
このようにして中央処理ユニット１０は、かかる第２のコンテンツ提示処理手順ＲＴ２を実行することでも、ユーザに対しコンテンツの種類を替えず又は適宜替えて１又は複数のコンテンツの内容を確認させることができる。
【０１４２】
なおこの実施の形態の場合、パーソナルコンピュータ２の中央処理ユニット１０は、以上説明したように、映像のコンテンツのみをユーザに提示し得るわけではなく、写真や音楽等のコンテンツについてもほぼ同様して提示し得るようになされている。
【０１４３】
すなわち中央処理ユニット１０は、ユーザに対して音楽のコンテンツを提示する際には、そのコンテンツを表すコンテンツ静止画像として例えばジャケット写真を提示し得ると共に、コンテンツ動画像としてはミュージッククリップ等を提示し得、さらにコンテンツ音声としてはそのミュージッククリップに付随する音楽を提示することができる。
【０１４４】
また中央処理ユニット１０は、ユーザに対して写真のコンテンツを提示する際には、そのコンテンツを表すコンテンツ静止画像として写真を提示し得、コンテンツ動画像としては例えば撮影風景を録画して生成された動画像を、またコンテンツ音声としてその撮影風景の録画の際に録音された音声を提示することができる。
【０１４５】
ただし中央処理ユニット１０は、写真や絵画等のコンテンツのように、本来、コンテンツを表すコンテンツ動画像やコンテンツ音声を特別に制作しなければ、サーバ側で予め用意し難いようなコンテンツを提示する際には、コンテンツ静止画像及びコンテンツ属性情報のみを提示することも可能である。
【０１４６】
すなわち中央処理ユニット１０は、このようにコンテンツの提示の際にコンテンツ静止画像及びコンテンツ属性情報のみを提示するような場合は、コンテンツ提示選択画面内で移動中のコンテンツカーソルの指示枠内に静止画像アイコンを単に拡大して表示し、そのコンテンツカーソルの移動を停止させるときには指示枠内に対し、中心部動画像アイコン６６Ｂの場合と同様に、すでに拡大している静止画像アイコンのうち指示枠中心点に最も近い静止画像アイコン中心点の静止画像アイコンを中心部に位置させることで視認性を向上させることができる。
【０１４７】
そして中央処理ユニット１０は、このようにコンテンツをコンテンツ静止画像及びコンテンツ属性情報のみで提示する場合でも、コンテンツカーソルの指示枠内に複数の静止画像アイコンを表示することで複数のコンテンツの内容を比較させながら容易に確認させることができる。
【０１４８】
（３）動作及び効果
以上の構成において、パーソナルコンピュータ２は、ユーザによりコンテンツ動画像の対応付けられていないコンテンツの提示が要求された場合、ディスプレイ２４にコンテンツ提示選択画面６０を表示し、マウスに対する移動操作に応じてそのコンテンツ提示選択画面６０内でコンテンツを表す第１の大きさの複数の静止画像アイコン６２に対してコンテンツカーソル６４を相対的に移動させると共に、マウスに対する移動操作が停止されたときには、これに応じて各静止画像アイコン６２に対するコンテンツカーソル６４の相対的な移動を停止させる。
【０１４９】
そしてパーソナルコンピュータ２は、コンテンツ提示選択画面６０を表示している間は、コンテンツカーソル６４の移動の有無にかかわらずに、当該コンテンツカーソル６４の指示枠６４Ａ内に少なくとも一部が入っている複数の静止画像アイコン６２を枠内静止画像アイコン６２Ａとして検出し、その検出結果に応じて指示枠６４Ａ内で複数の枠内静止画像アイコン６２Ａを第１の大きさよりも大きい第２の大きさに拡大して表示する。
【０１５０】
またパーソナルコンピュータ２は、コンテンツカーソル６４に対する移動命令の入力が停止したときには、指示枠６４Ａの指示枠中心点に最も近い静止画像アイコン中心点の枠内静止画像アイコン６２を当該指示枠６４内の中心部に位置させるように位置合わせしてコンテンツカーソル６４を停止させる。
【０１５１】
以上の構成によれば、パーソナルコンピュータ２において、コンテンツを表す第１の大きさの複数の静止画像アイコン６２を所定パターンで配置すると共に、その静止画像アイコン６２上にコンテンツカーソル６４を配置したコンテンツ提示選択画面６０を表示した状態で、コンテンツカーソル６４に対する移動命令の入力の有無に応じて当該コンテンツ提示選択画面６０内で各静止画像アイコン６２に対してコンテンツカーソル６４を相対的に移動させ又はその相対的な移動を停止させながら、各静止画像アイコン６２のうち指示枠６４Ａ内に少なくとも一部が入っている複数の枠内静止画像アイコン６２を第１の大きさよりも大きい第２の大きさに拡大して表示するようにしたことにより、コンテンツカーソル６４の移動の有無にかかわらずに、コンテンツ提示選択画面６０のコンテンツカーソル６４の指示枠６４Ａを介して拡大した複数の枠内静止画像アイコン６２を一括して提示することで、これら拡大した各枠内静止画像アイコン６２により複数のコンテンツの内容をその場で比較させながら容易にかつ的確に確認させることができ、かくして複数のコンテンツの中から所望のコンテンツを格段的に選択させ易くすることができる。
【０１５２】
またパーソナルコンピュータ２では、コンテンツカーソル６４の指示枠６４Ａ内で静止画像アイコン６２を枠内静止画像アイコン６２として拡大することで、これら各枠内静止画像アイコン６２の視認性を向上させることができ、かくしてこれら枠内静止画像アイコン６２としてのコンテンツ静止画像の内容を格段的に比較させ易くすることができる。
【０１５３】
さらにパーソナルコンピュータ２では、コンテンツカーソル６４に対する移動命令の入力が停止したとき、指示枠６４Ａの指示枠中心点に最も近い静止画像アイコン中心点の枠内静止画像アイコン６２を当該指示枠６４内の中心部に位置させるように位置合わせしてコンテンツカーソル６４を停止させることで、指示枠中心点に静止画像アイコン中心点が最も近いことによりユーザによって内容の確認用に指示された可能性の著しく高い静止画像アイコン６２を当該指示枠６４内の中心部に位置させて視認性を格段的に向上させることができる。
【０１５４】
そしてパーソナルコンピュータ２は、このようにコンテンツカーソル６４の指示枠６４Ａ内の中心部に枠内静止画像アイコン６２を位置させることで、これに伴い当該中心部の枠内静止画像アイコン６２に対する周辺の他の枠内静止画像アイコン６２についても、その中心部に対する上下同士や左右同士で指示枠６４Ａ内に入っている部分をほぼ均等にすることができ、かくして他の枠内静止画像アイコン６２のうちの何れかに対して指示枠６４Ａ内に入っている部分が極端に縮小して視認性が著しく損なわれることをほぼ確実に防止することができる。
【０１５５】
さらにパーソナルコンピュータ２は、コンテンツカーソル６４の指示枠６４Ａ内に複数の枠内静止画像アイコン６２を拡大して表示しながら、当該指示枠６４Ａの中心部に位置する枠内静止画像アイコン６２に対応するコンテンツ音声を出力することで、当該中心部の枠内静止画像アイコン６２の示しているコンテンツに対して、コンテンツ静止画像と共にコンテンツ音声の双方の提示によってより内容を確認させ易くすることができる。
【０１５６】
さらにパーソナルコンピュータ２は、各静止画像アイコン６２に対するコンテンツカーソル６４の相対的な移動を停止させている際に、指示枠６４Ａ内の中心部に位置する枠内静止画像アイコン６２が指示されると、これに応じて当該枠内静止画像アイコン６２の示しているコンテンツのコンテンツ属性情報をコンテンツ提示選択画面６０内に追加表示することで、そのコンテンツ属性情報によりコンテンツに対して、コンテンツ動画像やコンテンツ音声では表しきれない、より詳細な内容を提示することができ、かくしてコンテンツ提示選択画面６０を介してコンテンツを提示しその内容を確認させながら、所望のコンテンツをより的確に選択させることができる。
【０１５７】
（４）他の実施の形態
なお上述の実施の形態においては、コンテンツ提示選択画面６０においてコンテンツを表す第１の大きさの静止画像でなる複数の静止画像アイコン６２を所定パターンで配置するようにした場合について述べたが、本発明はこれに限らず、コンテンツ提示選択画面においてコンテンツを表す第１の大きさの動画像でなる複数の動画像アイコンを表示しておき、コンテンツカーソル６４の指示枠６４Ａ内にその動画像アイコンが入ったときに第１の大きさから第２の大きさに拡大し、さらにコンテンツカーソル６４の移動が停止した際に指示枠６４Ａの中心部に位置する第２の大きさの動画像アイコンを第３の大きさに拡大するようにしても良い。
【０１５８】
また上述の実施の形態においては、コンテンツカーソル６４の指示枠６４Ａ内の中心部に位置する枠内静止画像アイコン６２が指示されたときに、その枠内静止画像アイコン６２を第３の大きさに拡大するようにした場合について述べたが、本発明はこれに限らず、コンテンツカーソルの移動を停止させた時点で中心部の枠内静止画像アイコン６２を第３の大きさに拡大するようにしても良く、このようにすれば、コンテンツカーソル６４の移動を停止させた時点でユーザに複数のコンテンツの中からコンテンツを的確に指示し得たか否かを的確に判断させることができる。
【０１５９】
さらに上述の実施の形態においては、コンテンツカーソル６４を移動させている間は、単に指示枠６４Ａの中心部に最も近い枠内静止画像アイコン６２に対応するコンテンツ音声を出力するようにした場合について述べたが、本発明はこれに限らず、コンテンツカーソル６４を移動させている間は、指示枠６４Ａ内で、出力するコンテンツ音声に対応する枠内静止画像アイコン６２に対する表示状態（例えばアイコンの枠の色）を他の枠内静止画像アイコン６２の表示状態とは異なるようにしても良く、このようにすれば、出力しているコンテンツ音声がどの枠内静止画像アイコン６２に対応しているかを容易に認識させることができ、コンテンツの内容を効率良く確認させることができる。
【０１６０】
さらに上述の実施の形態においては、コンテンツカーソル６４の指示枠６４Ａ内の中心部の枠内静止画像アイコン６２が指示されたときにコンテンツ提示選択画面６０内にコンテンツ属性情報を追加表示するようにした場合について述べたが、本発明はこれに限らず、各静止画像アイコン６２に対するコンテンツカーソル６４の相対的な移動を停止させた時点にコンテンツ提示選択画面６０内にコンテンツ属性情報を追加表示するようにしても良い。
【０１６１】
さらに上述の実施の形態においては、パーソナルコンピュータ２において、ユーザによりコンテンツの種類が選択される毎にコンテンツ配信サーバ４から対応するコンテンツ提示用データを取得するようにした場合について述べたが、本発明はこれに限らず、パーソナルコンピュータ２において、種類提示用データの取得の際に全ての種類のコンテンツ提示用データをまとめて取得し、又は全ての種類のコンテンツ提示用データを記録した記録媒体を介して予め取得しておき、ユーザによってコンテンツの種類が選択されたときには、その時点で未だ取得されていない最新のコンテンツに対するコンテンツ提示用データのみを取得するようにしても良い。
【０１６２】
因みにパーソナルコンピュータ２では、コンテンツを表す複数のコンテンツ静止画像のみを予めまとめて取得しておき、コンテンツ音声やコンテンツ属性情報については表示や出力の度に、外部から取得するようにしても良い。
【０１６３】
さらに上述の実施の形態においては、本発明による表示装置を図１乃至図２０について上述したパーソナルコンピュータ２に適用するようにした場合について述べたが、本発明はこれに限らず、携帯電話機やＰＤＡ（Personal Digital Assistance ）、ゲーム機器、簡易小売店（いわゆる、ＫＩＯＳＫ）に設置されてネットワークに接続されたＫＩＯＳＫ端末等の情報処理装置や、テレビジョン受像機、ハードディスクレコーダ等のように、コンテンツ等の選択対象をユーザに提示可能なこの他種々の表示装置に広く適用することができる。
【０１６４】
さらに上述の実施の形態においては、選択対象を表す所定の第１の大きさの画像でなる複数の画像表示子を所定パターンで配置し、かつ各画像表示子上に少なくとも１個の当該画像表示子及び他の１個の画像表示子の一部を囲んで見せることのできる大きさの指示枠を有する指示子を配置して生成された画面を表示する表示手段として、図１乃至図２０について上述したパーソナルコンピュータ２において、選択対象としてコンテンツを表す静止画像アイコン６２と共に円環状のコンテンツカーソル６４を配置して生成されたコンテンツ提示選択画面６０を表示する表示処理部２３及びディスプレイ２４を適用するようにした場合について述べたが、本発明はこれに限らず、選択対象としてゲームプログラムや、自作のワード文書ファイル、各種命令を入力するためのアイコン等の種々の選択対象を表す静止画像アイコンと共に、多角形の枠を有する指示子を配置して生成された画面を表示する表示処理部及びディスプレイのように、この他種々の構成の画面を表示する表示手段を広く適用することができる。
【０１６５】
さらに上述の実施の形態においては、表示手段に表示された画面内で、各画像表示子のうち指示子の指示枠内に少なくとも一部が入っている複数の画像表示子を枠内画像表示子として検出する検出手段として、図１乃至図２０について上述したパーソナルコンピュータ２の中央処理ユニット１０を適用するようにした場合について述べたが、本発明はこれに限らず、指示子の指示枠内に少なくとも一部が入っている静止画像データを検出する専用の検出回路等のように、この他種々の検出手段を広く適用することができる。
【０１６６】
さらに上述の実施の形態においては、表示手段に表示された画面内で各画像表示子に対して指示子を相対的に移動させる移動命令を入力させるための入力手段として、図１乃至図２０について上述したパーソナルコンピュータ２のキーボード及びマウスでなる操作入力部ポ２０を適用するようにした場合について述べたが、本発明はこれに限らず、表示パネルの表面に設けられたタッチパッドや、ゲーム機のコントローラ、ジョイスティック及びトラックボール等のポインティングデバイスデ等のように、この他種々の入力手段を広く適用することができる。
【０１６７】
因みにかかる入力手段として、タッチパッドを適用する場合には、例えばコンテンツカーソル６４を実際に手でつかむような感覚で移動させたり回転させるようにすれば、選択新対象の提示の際の操作性を向上させることができる。
【０１６８】
さらに上述の実施の形態においては、表示手段に表示された画面内で、入力手段を介して入力された移動命令に応じて各画像表示子に対し指示子を相対的に移動させ、当該入力手段を介した移動命令の入力の停止に応じて各画像表示子に対する指示子の相対的な移動を停止させながら、検出手段による検出結果に応じて各枠内画像表示子を第１の大きさよりも大きい第２の大きさに拡大する表示制御手段として、図１乃至図２０について上述したパーソナルコンピュータ２の中央処理ユニット１０を適用するようにした場合について述べたが、本発明はこれに限らず、画面の表示を専用に制御する表示制御回路等のように、この他種々の表示制御手段を広く適用することができる。
【０１６９】
さらに上述の実施の形態においては、表示手段に画面が表示された際に検出手段による検出結果に応じて、各枠内画像表示子の表示子中心点のうち、指示枠の指示枠中心点に最も近い表示子中心点の枠内画像表示子の示している選択対象を表す音声を出力する音声出力手段として、図１乃至図２０について上述したパーソナルコンピュータ２の音声処理部２５及びスピーカ２６を適用するようにした場合について述べたが、本発明はこれに限らず、ヘッドホンを有する音声出力手段等のように、この他種々の音声出力手段を広く適用することができる。
【産業上の利用可能性】
【０１７０】
本発明は、パーソナルコンピュータや携帯電話機、ＰＤＡ、ゲーム機、テレビション受像機、ＫＩＯＳＫ端末等の表示装置に利用することができる。
【図面の簡単な説明】
【０１７１】
【図１】本実施の形態におけるコンテンツ取得システムの全体構成を示す略線図である。
【図２】パーソナルコンピュータの回路構成を示すブロック図である。
【図３】コンテンツ配信サーバの構成を示すブロック図である。
【図４】ログイン画面の構成を示す略線図である。
【図５】種類提示選択画面の構成を示す略線図である。
【図６】コンテンツ提示選択画面の構成を示す略線図である。
【図７】フロアにおける静止画像アイコンの表示の変更（１）の説明に供する略線図である。
【図８】フロアにおける静止画像アイコンの表示の変更（２）の説明に供する略線図である。
【図９】提示するコンテンツの種類の変更（１）の説明に供する略線図である。
【図１０】提示するコンテンツの種類の変更（２）の説明に供する略線図である。
【図１１】提示するコンテンツの種類の変更（３）の説明に供する略線図である。
【図１２】フロア情報通知部の構成を示す略線図である。
【図１３】コンテンツカーソルを停止させた直後の動画像アイコンの位置の説明に供する略線図である。
【図１４】コンテンツカーソルを停止させるときの位置合わせの説明に供する略線図である。
【図１５】コンテンツ提示選択画面におけるコンテンツ属性情報の表示の説明に供する略線図である。
【図１６】提示するコンテンツの種類の再編成の説明に供する略線図である。
【図１７】第１のコンテンツ提示処理手順を示すフローチャートである。
【図１８】第１の判別手法の説明に供する略線図である。
【図１９】第２のコンテンツ提示処理手順を示すフローチャートである。
【図２０】第２の判別手法の説明に供する略線図である。
【符号の説明】
【０１７２】
１……コンテンツ取得システム、２……パーソナルコンピュータ、４……コンテンツ配信サーバ、１０……中央処理ユニット、２３……表示処理部、２４……ディスプレイ、２５……音声処理部、２６……スピーカ、６０……コンテンツ提示選択画面、６２……静止画像アイコン、６４……コンテンツカーソル、６４Ａ……指示枠、６７……属性情報提示部、ＲＴ１……第１のコンテンツ提示処理手順、ＲＴ２……第２のコンテンツ提示処理手順。
【図１】
2005301703.tif 000003
【図２】
2005301703.tif 000004
【図３】
2005301703.tif 000005
【図４】
2005301703.tif 000006
【図５】
2005301703.tif 000007
【図６】
2005301703.tif 000008
【図７】
2005301703.tif 000009
【図８】
2005301703.tif 000010
【図９】
2005301703.tif 000011
【図１０】
2005301703.tif 000012
【図１１】
2005301703.tif 000013
【図１２】
2005301703.tif 000014
【図１３】
2005301703.tif 000015
【図１４】
2005301703.tif 000016
【図１５】
2005301703.tif 000017
【図１６】
2005301703.tif 000018
【図１７】
2005301703.tif 000019
【図１８】
2005301703.tif 000020
【図１９】
2005301703.tif 000021
【図２０】
2005301703.tif 000022